(57)【要約】  本発明にかかる光学特性測定装置用アタッチメントおよび光学特性測定装置は、光学特性測定装置に脱着可能であって外光を遮光する中空柱状のアタッチメント本体の内面に、照明光の反射を防止するための反射防止部材を備える。この構成によれば、一般的な試料の測定機能を維持しつつ、例えば表示パネルや太陽電池等に用いられる保護パネルのような、裏面の光学特性が表面の光学特性に影響する試料も測定できる。
2014061191.tif 000002
【特許請求の範囲】
【請求項１】
拡散光が照明光として射出され、前記照明光の試料での反射光が入射される照明受光部を備える光学特性測定装置における前記照明受光部の開口面と前記試料の表面との間に介在される光学特性測定装置用アタッチメントであって、
外光を遮光し、前記照明受光部の周縁を囲む内周を有する中空柱状のアタッチメント本体と、
前記アタッチメント本体の内面に備えられ、前記照明光の反射を防止するための第１反射防止部材と、
前記光学特性測定装置に脱着可能に取り付けるための取付部とを備えること
を特徴とする光学特性測定装置用アタッチメント。
【請求項２】
前記第１反射防止部材は、黒色塗膜であること
を特徴とする請求項１に記載の光学特性測定装置用アタッチメント。
【請求項３】
前記照明受光部の周縁と前記アタッチメント本体の内周面との間に設けられ、前記照明光の反射を防止するための第２反射防止部材をさらに備えること
を特徴とする請求項１または請求項２に記載の光学特性測定装置用アタッチメント。
【請求項４】
前記取付部は、前記アタッチメント本体の一方端部に設けられ、
前記第１反射防止部材は、前記照明受光部の周縁を囲む内周を有する一方端部と前記アタッチメント本体の他方端部における内周面に接する他方端部とを持つ中空錐台形状の反射防止部材本体と、前記反射防止部材本体の内面に備えられ、前記照明光の反射を防止するための第３反射防止部材とを備えること
を特徴とする請求項１に記載の光学特性測定装置用アタッチメント。
【請求項５】
前記照明受光部の周縁と前記反射防止部材本体における前記一方端部の内周面との間に設けられ、前記照明光の反射を防止するための第４反射防止部材をさらに備えること
を特徴とする請求項４に記載の光学特性測定装置用アタッチメント。
【請求項６】
前記アタッチメント本体内に設けられ、前記照明受光部から射出される照明光の光束を制限する光学絞りをさらに備えること
を特徴とする請求項１ないし請求項５のいずれか１項に記載の光学特性測定装置用アタッチメント。
【請求項７】
拡散光が照明光として射出され、前記照明光の試料での反射光が入射される照明受光部を備え、前記反射光を受光して所定の光学特性を求める光学特性測定本体と、
前記光学特性測定本体と脱着可能である複数の光学特性測定装置用アタッチメントとを備え、
前記複数の光学特性測定装置用アタッチメントのうちの少なくとも１つは、請求項１ないし請求項６のいずれか１項に記載の光学特性測定装置用アタッチメントであること
を特徴とする光学特性測定装置。
【請求項８】
前記光学特性測定本体は、装着された光学特性測定装置用アタッチメントの種類を検出する種類検出部と、前記種類検出部で検出された光学特性測定装置用アタッチメントの種類に応じて前記所定の光学特性を求める光学特性測定部とを備えること
を特徴とする請求項７に記載の光学特性測定装置。
【発明の詳細な説明】
【技術分野】
【０００１】
本発明は、光学特性測定装置に装着して用いられる光学特性測定装置用アタッチメントおよびこれを備えた光学特性測定装置に関する。
【背景技術】
【０００２】
従来、光学特性測定装置として、例えば車両やパネル等の工業製品における表面色の管理や印刷物の色の管理等を行うために用いられる、例えば色彩計や分光測色計等が知られている。このような色彩計や分光測色計等の装置は、一般に、測定対象である試料に照明光を照射し、その試料からの前記照明光の反射光を受光し、この受光結果に基づいて例えば分光反射特性等の所定の光学特性を測定する。その一つに、例えば、特許文献１に開示のハンディ型の光学特性測定装置がある。【０００３】
この特許文献１に開示の光学特性測定装置は、手で把持可能な外形形状を持つ例えば円筒体である筐体と、前記筐体の内部に収容され、試料に拡散光で照明光を照射するための積分球および光源と、前記筐体の内部に収容され、ｄ／０（拡散照明、０度受光）のジオメトリ（光学的条件）で前記試料によって反射された反射光を受光する測定用光ファイバケーブルとを備えている。そして、円筒体の筐体における一方端には、前記筐体への取り付け端部から先端に向けて径が徐々に小さくなる漏斗形状であって前記先端に測定開口（例えば直径５ｍｍ〜直径１０ｍｍ程度で、試料面開口とも言う）を持つ遮光筒や、前記測定開口を覆う透明板をさらに備えるガラス板付き遮光筒が取り替え可能に取り付けられる。このように特許文献１に開示の光学特性測定装置では、前記遮光筒またはガラス板付き遮光筒がアタッチメントとして使用用途に応じて利用可能である。【０００４】
ところで、例えば液晶表示装置の表示パネルや太陽電池等の色味（色合い）を測定する場合、比較的パネルが大きいため、据え置き型の光学特性測定装置は、不向きである一方、上記特許文献１に開示の光学特性測定装置は、ハンディ型であるため、好適である。【０００５】
しかしながら、このような表示パネルや太陽電池等には、一般に、表面を保護するために例えばガラス薄板や樹脂薄板等の透明な保護パネルがその表面に用いられているため、光学特性測定装置で光学特性を測定した場合に、その測定結果が安定しない場合があり、正確に色を測定することが難しいことが判明した。このような保護パネルは、その表面の光学特性と裏面の光学特性とが異なっており、このため、光学特性測定装置で測定される反射光は、裏面が影響し、表面での反射光成分と裏面での反射光成分とがアンバランスになってしまうためと発明者は、推察している。より具体的には、保護パネルは、その表面に例えば反射防止膜等のコーティング層（被覆層）を有する一方、その裏面に例えば拡散層等を有している。このため、ｄ／０のジオメトリで光学特性を測定する光学特性測定装置を測定に用いた場合、この光学特性測定装置で測定される反射光は、前記裏面での色味成分を含まない反射光成分の割合が着色のある前記表面での反射光成分より相対的に多くなってしまうためと発明者は、推察している。【０００６】
その一方で、塗装面、印刷面、プラスチックおよび不透明性の高い材料等の一般的な測定対象の試料を測定する場合には、上述の保護パネルのような事態は、生じないため、光学特性測定装置は、ｄ／０のジオメトリで光学特性を好適に測定することができる。このため、光学特性測定装置は、このような一般的な試料の測定も可能としつつ、保護パネルで生じる上述の事態に対処可能であることが望ましい。【０００７】
また、上記特許文献１に開示の前記遮光筒およびガラス板付き遮光筒では、検出開口をオープン（開口）状態とするかクローズ（閉塞）状態とするかだけであり、保護パネルで生じる上述の事態に対応することができていない。
【先行技術文献】
【特許文献】
【０００８】
【特許文献１】特開２０１１−１３３４６３号公報
【発明の概要】
【０００９】
本発明は、上述の事情に鑑みて為された発明であり、その目的は、一般的な試料の測定機能を維持しつつ、例えば表示パネルや太陽電池等に用いられる保護パネルのような、裏面の光学特性が表面の光学特性に影響する試料も測定することができる光学特性測定装置用アタッチメントおよびこれを備えた光学特性測定装置を提供することである。
【００１０】
本発明にかかる光学特性測定装置用アタッチメントおよび光学特性測定装置は、光学特性測定装置に脱着可能であって外光を遮光する中空柱状のアタッチメント本体の内面に、照明光の反射を防止するための反射防止部材を備える。このような光学特性測定装置用アタッチメントおよび光学特性測定装置は、一般的な試料の測定機能を維持しつつ、例えば表示パネルや太陽電池等に用いられる保護パネルのような、裏面の光学特性が表面の光学特性に影響する試料も測定できる。
【００１１】
上記並びにその他の本発明の目的、特徴及び利点は、以下の詳細な記載と添付図面から明らかになるであろう。
【図面の簡単な説明】
【００１２】
【図１】実施形態における光学特性測定装置の外観構成を示す図である。
【図２】図１に示す光学特性測定装置の電気的な構成を示すブロック図である。
【図３】図１に示す光学特性測定装置における測定プローブの一部断面を示す縦断面図である。
【図４】図１に示す光学特性測定装置における測定プローブに対し、アタッチメントの交換の一例として、通常の遮光筒とガラス板付き遮光筒との交換の様子を説明するための図である。
【図５】図１に示す光学特性測定装置における第１態様の反射防止遮光筒の構成を示す縦断面図である。
【図６】図１に示す光学特性測定装置における種類検出部を示す外観斜視図である。
【図７】図１に示す光学特性測定装置における第２態様の反射防止遮光筒の構成を示す図である。
【図８】図１に示す光学特性測定装置における第３態様の反射防止遮光筒の構成を示す図である。
【図９】図１に示す光学特性測定装置における第４態様の反射防止遮光筒の構成を示す図である。
【図１０】図１に示す光学特性測定装置における第５態様の反射防止遮光筒の構成を示す縦断面図である。
【図１１】図１に示す光学特性測定装置の測定動作を示すフローチャートである。
【発明を実施するための形態】
【００１３】
以下、本発明にかかる実施の一形態を図面に基づいて説明する。なお、各図において同一の符号を付した構成は、同一の構成であることを示し、適宜、その説明を省略する。また、本明細書において、総称する場合には添え字を省略した参照符号で示し、個別の構成を指す場合には添え字を付した参照符号で示す。
【００１４】
図１は、実施形態における光学特性測定装置の外観構成を示す図である。図２は、実施形態における光学特性測定装置の電気的な構成を示すブロック図である。図３は、実施形態の光学特性測定装置における測定プローブの一部断面を示す縦断面図である。図３には、測定プローブに通常の遮光筒を装着した様子（図の上側）と、測定プローブにガラス板付き遮光筒を装着した様子（図の下側）とが示されている。図４は、実施形態の光学特性測定装置における測定プローブに対し、アタッチメントの交換の一例として、通常の遮光筒とガラス板付き遮光筒との交換の様子を説明するための図である。図５は、実施形態の光学特性測定装置における第１態様の反射防止遮光筒の構成を示す縦断面図である。図６は、実施形態の光学特性測定装置における種類検出部を示す外観斜視図である。
【００１５】
本実施形態の光学特性測定装置は、照明光として拡散光を測定対象である試料に照射し、これによって前記試料で反射された前記拡散光の反射光を受光し、この受光した反射光に基づいて所定の光学特性を測定する装置である。前記所定の光学特性は、例えば、色、色彩等である。より具体的には、光学特性測定装置は、例えば、前記拡散光の反射光に含まれるいわゆる三刺激値を測定することによって色彩を測定する色彩計や、前記拡散光の反射光に含まれる各波長の強度を測定することによっていわゆる分光反射率を測定する分光測色計や、前記拡散光の反射光に基づいて輝度と色度とを測定する色彩輝度計等である。このような本実施形態の光学特性測定装置Ｄは、図１ないし図６に示すように、演算制御本体１と、光ファイバケーブルＦＣおよび制御信号線ＣＬを含むケーブルＣＢを介して演算制御本体１に接続される測定プローブ２と、測定プローブ２に脱着可能であるアタッチメントＡＴとを備えている。図１に示す例では、アタッチメントＡＴとして遮光筒３ａが測定プローブ２に装着されている。本実施形態の光学特性測定装置Ｄでは、ハンディ型であるため、演算制御本体１と測定プローブ２とで、光学特性測定本体が構成されている。
【００１６】
演算制御本体１は、光学特性測定装置Ｄの各部を当該機能に応じて制御し、測定プローブ２によって得られた、試料ＳＭに対する拡散光の反射光に基づいて所定の光学特性を演算する装置である。前記拡散光の反射光は、測定プローブ２によって、照明光として拡散光を試料ＳＭに照射することによって得られる。このような演算制御本体１は、図１および図２に示すように、例えば、入力部１１と、表示部１２と、印刷部１３と、インターフェース部（ＩＦ部）１４と、演算制御部１５と、受光処理部１６とを備えている。
【００１７】
入力部１１は、例えば、測定開始を指示するコマンド等の各種コマンド、および、例えば試料ＳＭにおける識別子の入力等の光学特性を測定する上で必要な各種データを光学特性測定装置Ｄに入力する装置であり、例えば、複数のスイッチおよびその周辺回路を備えている。表示部１２は、入力部１１から入力されたコマンドやデータ、および、測定した測定結果の光学特性を表示する装置であり、例えばＣＲＴディスプレイ、液晶ディスプレイ（ＬＣＤ）および有機ＥＬディスプレイ等の表示装置である。印刷部１３は、入力部１１から入力されたコマンドやデータ、および、測定結果の光学特性を印刷する装置であり、例えばプリンタ等の印刷装置等である。ＩＦ部１４は、外部の機器とデータをやり取りするための外部インターフェースであり、例えばＵＳＢ（Ｕｎｉｖｅｒｓａｌ  Ｓｅｒｉａｌ  Ｂｕｓ）等である。
【００１８】
演算制御部１５は、光学特性測定装置Ｄの各部を当該機能に応じて制御することによって光学特性測定装置全体の動作を司るとともに、測定プローブ２によって得られた拡散光の反射光に基づいて所定の光学特性を演算するものであり、例えば、マイクロプロセッサ、メモリおよびその周辺回路を備えたマイクロコンピュータである。演算制御部１５には、メモリに記憶されているプログラムが実行されることによって、制御部１５１および光学特性演算部１５２が機能的に構成される。制御部１５１は、光学特性測定装置Ｄにおける入力部１１、表示部１２、印刷部１３、ＩＦ部１４、受光処理部１６および測定プローブ２の各部を当該機能に応じて制御するものである。光学特性演算部１５２は、測定プローブ２によって得られた試料ＳＭに対する拡散光の反射光に基づいて所定の光学特性を演算するものである。この光学特性の演算に際し、光学特性演算部１５２は、後述するように、種類検出部２６の出力に応じて測定プローブ２に装着されたアタッチメントＡＴの種類を判定し、前記判定したアタッチメントの種類に応じて前記光学特性を求める。
【００１９】
受光処理部１６は、測定プローブ２によって得られた試料ＳＭに対する拡散光の反射光を受光し、この受光結果に所定の前処理を施して演算制御部１５へ出力するものである。受光処理部１６は、例えば、光電変換を行って受光した光量に応じた電気信号を出力する光電変換素子を備える受光回路、前記受光回路の出力を所定の増幅率で増幅する低ノイズ増幅回路、ノイズを除去するために、低ノイズ増幅回路の出力を所定の帯域でフィルタリング（濾波）するフィルタ回路、および、フィルタ回路の出力をアナログ信号からディジタル信号へ変換するアナログ−ディジタル変換回路等を備えて、前記所定の前処理として、増幅処理、ノイズ除去処理およびＡＤ変換処理等を行う。
【００２０】
これら演算制御本体１における入力部１１、表示部１２、印刷部１３、ＩＦ部１４、演算制御部１５および受光処理部１６は、図１に示すように、略直方体形状の箱形の第１筐体ＨＳ１に収納される。第１筐体ＨＳ１には、入力部１１、表示部１２および印刷部１３が一方端から他方端へ順に配置され、その側面から光ファイバケーブルＦＣおよび制御信号線ＣＬを含むケーブルＣＢが延びている。
【００２１】
測定プローブ２は、演算制御本体１とケーブルＣＢを介して接続され、ケーブルＣＢに含まれる制御信号線ＣＬを介した演算制御部１５における制御部１５１の制御に従って照明光として拡散光を試料ＳＭに照射し、これによって試料ＳＭで反射された前記拡散光の反射光を光ファイバケーブルＦＣの一方先端部で受光するものである。光ファイバケーブルＦＣは、複数の光ファイバを備え、これら複数の光ファイバを束ねたものである。前記拡散光の反射光は、光ファイバケーブルＦＣを介して受光処理部１６まで導光され、受光処理部１６の前記光電変換素子で受光され、光電変換される。また、この前記拡散光の反射光の測定に際し、アタッチメントＡＴの種類を検出するために、種類検出部２６は、演算制御部１５における制御部１５１によって前記制御信号線ＣＬを介して制御される。
【００２２】
測定プローブ２は、例えば、図１および図３に示すように、積分球２１と、光源２２と、遮光板２３と、拡散板２４と、受光筒２５と、種類検出部２６と、これら積分球２１、光源２２、遮光板２３、拡散板２４、受光筒２５および種類検出部２６を収納する第２筐体ＨＳ２とを備えている。
【００２３】
第２筐体ＨＳ２は、手で把持可能な外形形状を持つ例えば中空柱状体、例えば円筒体であり、その一方端部（先端）には、アタッチメントＡＴを取り付けるための筐体側取付部２７を備え、その他方端部は、閉塞され、その他方端部近傍の側周面から前記ケーブルＣＢが延びている。筐体側取付部２７は、例えば、第２筐体ＨＳ２の円筒体の外周面に形成されたオネジであってよい。このような場合では、アタッチメントＡＴの内周面には、後述の遮光筒側取付部３２、４２としてメネジが形成され、このねじ構造によって第２筐体ＨＳ２とアタッチメントＡＴとは、脱着自在とされる。また例えば、筐体側取付部２７は、第２筐体ＨＳ２の円筒体の外周面に形成された、周方向に延びると共に径方向内側に凹んだ嵌合溝（係止溝）であってよい。このような場合では、アタッチメントＡＴの内周面には、遮光筒側取付部３２、４２として、周方向に延びると共に径方向外側に突出する突条（係合凸部）が形成され、前記突条が嵌合溝に嵌り込む構造によって第２筐体ＨＳ２とアタッチメントＡＴとは、脱着自在とされる。
【００２４】
光源２２は、照明光となる光を放射する装置であり、例えば、キセノンランプ（Ｘｅランプ）等である。遮光板２３は、光を遮断する部材である。拡散板２４は、入射光を拡散して射出する部材である。受光筒２５は、円筒状の部材であり、受光筒２５内には、光ファイバケーブルＦＣが配設されている。
【００２５】
種類検出部２６は、測定プローブ２に装着されたアタッチメントＡＴの種類を検出するためのセンサ装置である。種類検出部２６は、例えば、発光ダイオード等の発光部とホトダイオード等の受光部とを備えたＰＲセンサおよびその周辺回路を備え、発光部で発光した光の反射光を受光部で受光し、その受光強度の大きさをケーブルＣＢを介して演算制御部１５へ出力する。なお、種類検出部２６は、前記ＰＲセンサに代え、機械的な動作によってオンオフするメカスイッチであってもよく、オンオフの各状態に応じた信号をケーブルＣＢを介して演算制御部１５へ出力する。種類検出部２６は、図６に示すように、第２筐体ＨＳ２における筐体側取付部２７近傍の外周面で、アタッチメントＡＴの種類を検出することができるように外部に臨んでいる。例えば、種類検出部２６は、発光した赤外線を射出し、赤外線の反射光を入射することができるように、前記外周面で外部に臨んでいる。
【００２６】
積分球２１は、光源２２から放射された放射光を拡散板２４に均一に照射することで、試料ＳＭを均等に拡散照明するための部材である。より具体的には、図３に示すように、例えば釣鐘のような形状の一方端が開口され他方端が閉塞された中空円柱状の部材である。図３に示す形状の積分球２１は、内面形状が球形ではないが、球形の場合と同様な機能を持つ簡易的な積分球と言ってよい。このような形状の積分球２１内には、中心位置に受光筒２５が開口面から閉塞面まで軸方向に沿って配置されている。前記閉塞面（天井面）には、ケーブルＣＢを挿通するための貫通開口が形成されており、この貫通開口と受光筒２５との隙間から外光が積分球２１内に入射することを防止するために、前記閉塞面に近い受光筒２５の一方端周面には、受光筒２５の外周面を囲むようにそして径方向外側に延びるようにリング形状のフランジ板が立設されており、前記開口面側の受光筒２５の他方端周面には、受光筒２５の外周面を囲むようにそして径方向外側に延びるようにリング形状で拡散板２４が配設されている。受光筒２５における軸方向中央位置よりやや前記閉塞面に寄った位置には、受光筒２５の外周面を囲むようにリング管形状の光源２２が配設されている。光源２２と拡散板２４との間には、光源２２から射出された放射光が拡散板２４に直接到達することを防止するように、遮光板２３が配設されている。より具体的には、受光筒２５における軸方向略中央位置に、受光筒２５の外周面を囲むようにそして径方向外側に延びるように遮光板２３が配設されている。拡散板２４の外周縁は、積分球２１の内周面に当接して積分球２１の開口面を閉塞してもよい。本実施形態では、円筒形状の第２筐体ＨＳ２の一方端部は、筐体側取付部２７から先端へ向けて径が所定の直径になるまで徐々に小さくなるように形成されたテーパ部と、照明受光部１００として前記所定の第１直径の第１開口部１００とを備えるように形成されている。そして、前記開口面を形成している積分球２１の一方端は、第２筐体ＨＳ２の前記テーパ部と当接しており、拡散板２４の外周縁は、第２筐体ＨＳ２の前記第１開口部１００の周縁と当接している。したがって、照明受光部１００としての第２筐体ＨＳ２の前記第１開口部１００には、リング板形状の拡散板２４および受光筒２５の先端部２５１が配置されている。そして、積分球２１の内面は、光を拡散反射するように例えば硫酸バリウム等の白色塗料で塗装され、前記内面上には白色塗布層が形成されている。
【００２７】
このような積分球２１では、光源２２から放射された光は、遮光板２３で拡散板２４へ直接的に到達しないように遮光される一方、積分球２１の内面で拡散反射を１または複数回繰り返した後に、拡散板２４に到達し、拡散板２４から拡散光の状態で照明光として射出される。
【００２８】
アタッチメントＡＴは、測定プローブ２における第２筐体ＨＳ２に形成された照明受光部１００としての前記第１開口部１００における光学的な状態（条件）を、当該光学特性測定装置Ｄの測定目的に応じた状態（条件）に合わせるための部材である。図１および図３の上側に示すアタッチメントＡＴは、通常の測定に対して用いられる遮光筒３ａである。
【００２９】
この遮光筒３ａは、一方端から他方端に向けて径が所定の第２直径になるまで徐々に小さくなるように形成されたテーパ部３１と、テーパ部３１の一方端に形成された、この遮光筒３ａを測定プローブ２の第２筐体ＨＳ２に脱着可能に取り付けるための遮光筒側取付部３２と、テーパ部３１の他方端において、前記所定の第２直径の第２開口部を囲むようにそして径方向外側に延びるように形成されたリング形状のフランジ板３３とを備えており、テーパ部３１の内面は、拡散反射するように白色塗装されている。このような遮光筒３ａは、測定プローブ２の第２筐体ＨＳ２に形成された第１開口部１００の開口面積を第２開口部ＡＰの開口面積までさらに絞り込み、そして、フランジ板３３によって平坦な試料面に密着させるために用いられる。
【００３０】
また、測定プローブ２で例えば粉体等の試料ＳＭを測定する場合には、前記粉体等が測定プローブ２内に侵入することを防止するために、図３の下側に示すようなガラス板付き遮光筒３ｂが、図４に示すように遮光筒３ａに代えて測定プローブ２にアタッチメントＡＴとして装着される。このガラス板付き遮光筒３ｂは、遮光筒３ａの構成に加えて、例えばガラス等で形成された透明板３４をさらに備えている。この透明板３４は、前記第２開口部ＡＰを閉塞するように、フランジ板３３上に例えば接着剤等によって密着固定されている。
【００３１】
このような遮光筒３ａまたはガラス板付き遮光筒３ｂをアタッチメントＡＴとして測定プローブ２に装着することによって、光学特性測定装置Ｄは、ｄ／０のジオメトリで試料ＳＭを測定する。
【００３２】
そして、本実施形態の光学特性測定装置Ｄでは、前記保護パネル付きの例えば表示パネルや太陽電池等を測定するために、図５および図６に示す第１態様の反射防止遮光筒４ａが、アタッチメントＡＴとしてさらに用意されている。
【００３３】
この第１態様の反射防止遮光筒４ａは、外光を遮光し、前記照明受光部１００としての第１開口部１００の周縁を囲む内周を有する中空柱状のアタッチメント本体４１と、アタッチメント本体４１の一方端に形成された、この反射防止遮光筒４ａを測定プローブ２の第２筐体ＨＳ２に脱着可能に取り付けるための遮光筒側取付部４２と、アタッチメント本体４１の内面に備えられ、拡散板２４を介して積分球２１から放射される前記照明光の反射を防止するための第１反射防止部材４３とを備えている。
【００３４】
アタッチメント本体４１は、例えば、測定プローブ２の第２筐体ＨＳ２の外形と同形の外形を有する中空柱状体である。本実施形態では、第２筐体ＨＳ２が円筒形状であるため、アタッチメント本体４１もこれと同外形の円筒形状である。アタッチメント本体４１の軸方向の長さは、試料ＳＭに照射される拡散光の光量およびリング状の照明領域が測定目的に合うように適宜な長さに設定されている。そして、アタッチメント本体４１は、上述の種類検出部２６によってアタッチメントＡＴの種類を検出させるために、図６に示すように、遮光筒側取付部４２近傍の一方端から軸方向外側に突出する検出用突起片４１１を備えている。この検出用突起片４１１の有無を種類検出部２６によって検出することで、反射防止遮光筒４ａであるか遮光筒３ａ、３ｂであるかの別が判定される。第１反射防止部材４３は、この第１態様では、例えば、黒色塗料を塗布することによって形成された黒色塗膜である。このような黒色塗膜によって第１反射防止部材４３を簡単に形成することができる。
【００３５】
このような第１態様の反射防止遮光筒４ａをアタッチメントＡＴとして測定プローブ２に装着することによって、拡散板２４を介して積分球２１から放射された照明光は、アタッチメント本体４１の内周面に到達した場合には第１反射防止部材４３の黒色塗膜によってその反射が抑制または防止される。このため、試料ＳＭには、拡散板２４を介して積分球２１から放射され、直接試料ＳＭの表面に到達した照明光が照射される。この照明光は、試料ＳＭで反射され、受光筒２５内に配置された光ファイバケーブルＦＣの先端部で受光される。この反射光の受光においても、反射光は、アタッチメント本体４１の内周面に到達した場合には第１反射防止部材４３の黒色塗膜によってその反射が抑制または防止される。このため、試料ＳＭの表面から反射され直接光ファイバケーブルＦＣの先端部に到達した反射光が光ファイバケーブルＦＣの先端部で受光される。
【００３６】
このように第１態様の反射防止遮光筒４ａは、第１反射防止部材４３によって照明光や反射光の反射を抑制または防止するので、光学特性測定装置Ｄの前記第１開口部１００に配置される光ファイバケーブルＦＣの先端部２５１には、照明光の正反射成分を導光することができる。このため、光学特性測定装置Ｄは、第１態様の反射防止遮光筒４ａを用いることによって、上記保護パネルを備える例えば表示パネルや太陽電池等のパネルも測定することができる。
【００３７】
したがって、この第１態様の反射防止遮光筒４ａは、光学特性測定装置Ｄに脱着可能なアタッチメントＡＴであるので、このアタッチメントＡＴを装着することなく測定することによって、光学特性測定装置Ｄは、一般的な試料を好適に測定することができ、一方、このアタッチメントＡＴを装着して測定することによって、光学特性測定装置Ｄは、例えば表示パネルや太陽電池等の保護パネルのような、パネル裏面の光学特性が表面の光学特性に影響する試料ＳＭも測定することができる。このように第１態様の反射防止遮光筒４ａは、光学特性測定装置Ｄに対する脱着によって、光学特性測定装置Ｄにおける一般的な試料ＳＭの測定機能を維持しつつ、例えば表示パネルや太陽電池等の保護パネルのような、パネル裏面の光学特性が表面の光学特性に影響する試料ＳＭの測定も光学特性測定装置Ｄに可能とさせ得る。
【００３８】
なお、前記保護パネル付きの例えば表示パネルや太陽電池等を測定するために、上述の第１態様の反射防止遮光筒４ａに代え、次の第２ないし第５態様の反射防止遮光筒４ｂ〜４ｅのいずれかが用いられてもよい。
【００３９】
図７は、実施形態の光学特性測定装置における第２態様の反射防止遮光筒の構成を示す図である。図７（Ａ）は、縦断面図であり、図７（Ｂ）は、透視斜視図である。図８は、実施形態の光学特性測定装置における第３態様の反射防止遮光筒の構成を示す図である。図８（Ａ）は、縦断面図であり、図８（Ｂ）は、反射防止部材本体４５の斜視図である。図９は、実施形態の光学特性測定装置における第４態様の反射防止遮光筒の構成を示す図である。図９（Ａ）は、縦断面図であり、図９（Ｂ）は、透視斜視図である。図１０は、実施形態の光学特性測定装置における第５態様の反射防止遮光筒の構成を示す縦断面図である。
【００４０】
第２態様の反射防止遮光筒４ｂは、図７に示すように、第１態様の反射防止遮光筒４ａと同様なアタッチメント本体４１（検出用突起片４１１を含む）、遮光筒側取付部４２および第１反射防止部材４３を備え、さらに、前記照明受光部１００である前記第１開口部１００の周縁とアタッチメント本体４１の内周面との間に位置するように設けられた、前記照明光の反射を防止するための第２反射防止部材４４を備えている。
【００４１】
この第２反射防止部材４４は、図７に示す例では、前記第１開口部１００の周縁を囲むようにそして径方向内側に延びるように、アタッチメント本体４１の内周面から立設されるリング形状のフランジ板４４である。前記第１開口部１００の周縁を囲むように形成されるフランジ板４４の第３開口部は、前記第１開口部１００の直径と略同一な直径となる。そして、フランジ板４４は、この第２態様の反射防止遮光筒４ｂが測定プローブ２に装着された場合に、前記第１開口部１００の高さ位置に略位置するアタッチメント本体４１の軸方向位置に立設されている。フランジ板４４の内面は、反射を防止するために、黒色塗装されている。
【００４２】
このような第２態様の反射防止遮光筒４ｂは、第１態様の反射防止遮光筒４ａと同様な作用効果を奏する。さらに、この第２態様の反射防止遮光筒４ｂは、第２反射防止部材４４を備えるので、前記照明受光部１００である前記第１開口部１００の周縁とアタッチメント本体４１の内周面との間における測定プローブ２の第２筐体ＨＳ２の露出表面での反射を防止することができる。したがって、この第２態様の反射防止遮光筒４ｂでは、前記露出表面が測定結果に影響を与えることがなく、より高精度で測定することができる。
【００４３】
また、第３態様の反射防止遮光筒４ｃは、図８に示すように、第１態様の反射防止遮光筒４ａと同様なアタッチメント本体４１（検出用突起片４１１を含む）および遮光筒側取付部４２を備えている。第１反射防止部材４３に相当する反射防止部材として、この第３態様の反射防止遮光筒４ｃは、前記照明受光部１００である前記第１開口１００の周縁を囲む内周を有する一方端部とアタッチメント本体４１の他方端部における内周面に接して固定される他方端部とを持つ中空錐台形状の反射防止部材本体４５と、反射防止部材本体４５の内面に備えられ、前記照明光の反射を防止するための第３反射防止部材４６とを備える。
【００４４】
この反射防止部材本体４５は、測定プローブ２の第２筐体ＨＳ２およびアタッチメント本体４１が円筒形状であることに応じて、中空円錐台形状である。反射防止部材本体４５の一方端部における第４開口部は、前記第１開口部１００の直径と略同一な直径となる。そして、反射防止部材本体４５の軸方向長さ（円錐台の高さ）は、この第３態様の反射防止遮光筒４ｃが測定プローブ２に装着された場合に、前記第１開口部１００の高さ位置に反射防止部材本体４５の前記一方端部が略位置するように設定されている。第３反射防止部材４６は、第１反射防止部材４３と同様に、例えば、黒色塗料を塗布することによって形成された黒色塗膜である。
【００４５】
このような第３態様の反射防止遮光筒４ｃは、第１および第２態様の反射防止遮光筒４ａ、４ｂと同様な作用効果を奏する。そして、この第３態様の反射防止遮光筒４ｃは、アタッチメント本体４１に反射防止部材本体４５を組み込むことによって簡単に製造することができる。この第３態様の反射防止遮光筒４ｃでは、アタッチメント本体４１と反射防止部材本体４５とを個別に製造することができるから、これらを並行して製造することができる。
【００４６】
なお、図８に示す第３態様の反射防止遮光筒４ｃでは、反射防止部材本体４５の一方端部における第４開口部は、前記第１開口部１００の直径と略同一な直径であるが、前記第１開口部１００の直径よりも大きな直径であって、第４開口部を形成する反射防止部材本体４５の一方端は、測定プローブ２の第２筐体ＨＳ２における前記テーパ部に当接するように構成されてもよい。このような場合には、前記第１開口部１００の周縁と前記第４開口部の周縁との間における測定プローブ２の第２筐体ＨＳ２の露出表面での反射を防止するために、第２態様の反射防止遮光筒４ｂの第２反射防止部材４４と同様な部材が前記第４開口部の周縁から延設されるように設けられてもよい。
【００４７】
また、第４態様の反射防止遮光筒４ｂは、図９に示すように、第１態様の反射防止遮光筒４ａと同様なアタッチメント本体４１（検出用突起片４１１を含む）、遮光筒側取付部４２および第１反射防止部材４３と、第１態様の反射防止遮光筒４ａと同様な第２反射防止部材４４とを備え、さらに、アタッチメント本体４１内に設けられ、前記照明受光部１００である第１開口部１００から射出される照明光の光束を制限する光学絞り４７を備えている。
【００４８】
この光学絞り４７は、開口絞りであり、例えば、図９に示すように、外側円筒体４７ａと、内側円筒体４７ｂと、１または複数の支持体４７ｃとを備えている。外側円筒体４７ａは、前記第１開口部の直径と略同一な内直径を有し、アタッチメント本体４１内に向けて軸方向に沿って前記第１開口部１００の周縁から立設するように、第２反射防止部材４４の内面に固定されて設けられている。内側円筒体４７ｂは、受光筒２５の内直径と略同一な内直径を有している。支持体４７ｃは、板状の部材であり、その一方端が外側円筒体４７ａの内周面に固定され、その他方端が内側円筒体４７ｂの外周面に固定されている。支持体４７ｃは、図９に示す例では、略４５度の等間隔で周方向に並ぶように設けられた８個の部材である。このような支持体４７ｃによって内側円筒体４７ｂは、外側円筒体４７ａに支持される。そして、支持体４７ｃの長さは、この第４態様の反射防止遮光筒４ｄが測定プローブ２に装着された場合に、内側円筒体４７ｂの位置が受光筒２５の位置と一致するように設定される。このように支持体４７ｃの長さを調整することで、受光筒２５が、内側円筒体４７ｂによって延長される。そして、これら外側円筒体４７ａ、内側円筒体４７ｂおよび支持体４７ｃの各表面は、反射を防止するために、黒色塗装されている。
【００４９】
このような構成の光学絞り４７では、拡散板２４を介して積分球２１から放射された照明光における径方向の広がりは、外側円筒体４７ａおよび内側円筒体４７ｂの各周面（側面）によって規制され、照明光の光束が制限される。したがって、このような構成の光学絞り４７は、軸方向における外側円筒体４７ａおよび内側円筒体４７ｂの各長さを調整することによって、前記照明光の光束の制限量が調整される。また、光ファイバケーブルＦＣの先端部が試料ＳＭの表面を観測する領域面積は、内側円筒体４７ｂの周面（側面）によって規制される。
【００５０】
このような第４態様の反射防止遮光筒４ｄは、第１および第２態様の反射防止遮光筒４ａ、４ｂと同様な作用効果を奏する。そして、このような第４態様の反射防止遮光筒４ｄは、光学絞り４７を備えるので、拡散板２４を介して積分球２１から射出される照明光の光量および角度を制限することができる。
【００５１】
そして、第５態様の反射防止遮光筒４ｅは、上述の第１ないし第４態様の反射防止遮光筒４ａ〜４ｄにおいて、内表面が凹凸を有するように、凹凸処理が内表面に施されている。図１０には、第４態様の反射防止遮光筒４ｄに対し、アタッチメント本体４１の黒色塗膜４３の表面４８に凹凸処理が実施されている例の第５態様の反射防止遮光筒４ｅが示されている。なお、第４態様の反射防止遮光筒４ｄにおける内表面前面に凹凸処理が実施されてもよい。このように内表面に凹凸処理を施すことによって、反射の防止をより向上させることができる。
【００５２】
なお、上述の第１ないし第５態様の反射防止遮光筒４では、第１反射防止部材４３は、黒色塗膜であったが、これに限定されるものではない。黒色塗膜に代え、黒色の短毛を植毛した植毛紙であってもよく、この植毛紙がアタッチメント本体４１の内周面に接着され、貼付される。
【００５３】
また、上述の遮光筒３ａ、ガラス板付き遮光筒３ｂ、および、第１ないし第５態様の反射防止遮光筒４において、光ファイバケーブルＦＣは、その先端部が図３に示すように受光筒２５の軸方向途中に位置するように受光筒２５内に配置されてもよく、また、その先端が図５に示すように受光筒２５の先端部２５１に位置するように受光筒２５内に配置されてもよい。図５に示すように受光筒２５の先端部２５１に光ファイバケーブルＦＣの先端部が配置される場合には、相対的に広い面積で試料ＳＭを観測することができ、図３に示すように受光筒２５の軸方向途中に光ファイバケーブルＦＣの先端部が配置される場合には、相対的に狭い面積で試料ＳＭを観測することができる。
【００５４】
次に、本実施形態の光学特性測定装置Ｄの動作について説明する。図１１は、実施形態における光学特性測定装置の測定動作を示すフローチャートである。
【００５５】
図１１において、ユーザによって図略の電源スイッチが操作されることで、電源がオンされ、光学特性測定装置Ｄが起動する（Ｓ１１）。起動すると、演算制御部１５の制御部１５１は、初期化の必要な各部を初期化し、各部を当該機能に応じて制御する。そして、演算制御部１５の光学特性演算部１５２は、ケーブルＣＢを介して測定プローブ２の種類検出部２６からその検出結果を取得する（Ｓ１２）。次に、光学特性演算部１５２は、種類検出部２６の検出結果に基づいて測定プローブ２に装着されたアタッチメントＡＴの種類を判断する（Ｓ１３）。
【００５６】
遮光筒３ａまたはガラス板付き遮光筒３ｂが測定プローブ２に装着された際には、本実施形態では、上述したように、遮光筒３ａおよびガラス板付き遮光筒３ｂは、検出用突起片４１１を備えない。このため、種類検出部２６がＰＲセンサである場合では、種類検出部２６は、反射光を受光しないので、検出結果は、ローレベルである。また、種類検出部２６がメカスイッチである場合では、種類検出部２６のメカスイッチがオンされないので、検出結果は、ローレベルである。一方、第１ないし第５態様の反射防止遮光筒４（４ａ〜４ｅ）のいずれかが測定プローブ２に装着された際には、上述したように、第１ないし第５態様の反射防止遮光筒４は、検出用突起片４１１を備えるので、種類検出部２６がＰＲセンサである場合では、種類検出部２６は、検出用突起片４１１によって反射された反射光を受光するので、検出結果は、ハイレベルであり、また、種類検出部２６がメカスイッチである場合では、種類検出部２６のメカスイッチが、検出用突起片４１１によってオンされるので、検出結果は、ハイレベルである。このように検出用突起片４１１の有無に応じて種類検出部２６から出力される検出結果のレベルが異なるので、光学特性演算部１５２は、種類検出部２６の検出結果に基づいて測定プローブ２に装着されたアタッチメントＡＴの種類を判定することができる。
【００５７】
上記処理Ｓ１３の判断の結果、種類検出部２６の検出結果がローレベルである場合には、光学特性演算部１５２は、測定プローブ２に装着されたアタッチメントＡＴが遮光筒３ａまたはガラス板付き遮光筒３ｂであると判定し（通常（拡散タイプ））、処理Ｓ１４以降の各処理を実行する。一方、上記処理Ｓ１３の判断の結果、種類検出部２６の検出結果がハイレベルである場合には、光学特性演算部１５２は、測定プローブ２に装着されたアタッチメントＡＴが第１ないし第５態様の反射防止遮光筒４のうちのいずれか１つであると判定し（遮光筒（黒塗装タイプ））、処理Ｓ２１以降の各処理を実行する。
【００５８】
処理Ｓ１４において、光学特性演算部１５２は、物体色測定モードを実行する。物体色測定モードの実行では、例えば、光学特性演算部１５２は、遮光筒３ａおよびガラス板付き遮光筒３ｂに対応する増幅率で制御部１５１を介して受光処理部１６を設定し、また、後述の処理Ｓ１７の測色演算１で用いられる校正データ（白色校正値および黒色校正値）を、遮光筒３ａおよびガラス板付き遮光筒３ｂに対応する校正データに設定する。
【００５９】
次に、処理Ｓ１５において、光学特性演算部１５２は、入力部１１をモニタし、測定開始の指示を受け付けたか否かを判断する。この処理Ｓ１５は、測定開始の指示を受け付けるまで、繰り返される（Ｓ１５でＮｏ）。
【００６０】
そして、測定開始の指示を受け付けると（Ｓ１５でＹｅｓ）、処理Ｓ１６において、光学特性演算部１５２は、制御部１５１を介して光学特性測定装置Ｄの各部を制御し、測定を実行させる。より具体的には、制御部１５１は、測定プローブ２の光源２２を発光させる。光源２２から放射された光は、積分球２１の内面によって１または複数回拡散反射し、拡散板２４に到達し、拡散板２４を介して積分球２１から拡散光の照明光として放射される。積分球２１から放射された照明光は、試料ＳＭに照射され、試料ＳＭで反射される。ここで、アタッチメントＡＴの内面に到達した照明光は、アタッチメントＡＴが遮光筒３ａまたはガラス板付き遮光筒３ｂであるので、前記内面で拡散反射し、試料ＳＭに照射され、試料ＳＭで反射される。試料ＳＭで反射した照明光の反射光は、受光筒２５の光ファイバケーブルＦＣの先端部に到達すると、光ファイバケーブルＦＣに入射され、光ファイバケーブルＦＣによって受光処理部１６まで導光される。この導光された照明光の反射光は、光電変換され、所定の前処理を施される。この所定の前処理を施された信号が試料ＳＭの測定結果として受光処理部１６から演算制御部１５へ出力される。
【００６１】
次に、処理Ｓ１７において、光学特性演算部１５２は、測色演算１として、受光処理部１６から入力された試料ＳＭの測定結果に基づいて、物体色測定モードで所定の光学特性を求める。このように光学特性演算部１５２は、種類検出部２６で検出されたアタッチメントＡＴの種類に応じて前記所定の光学特性を求める。
【００６２】
次に、処理Ｓ１８において、光学特性演算部１５２は、制御部１５１を介して表示部１２に、この求めた所定の光学特性を表示する。そして、処理Ｓ１９において、光学特性演算部１５２は、入力部１１から測定終了が指示されているか否かを判断する。この判断の結果、測定終了が指示されている場合（Ｙｅｓ）には、処理を終了し、測定終了が指示されていない場合（Ｎｏ）には、処理を処理Ｓ１２に戻す。
【００６３】
一方、処理Ｓ２１において、光学特性演算部１５２は、透明パネル測定モードを実行する。透明パネル測定モードの実行では、例えば、光学特性演算部１５２は、第１ないし第５態様の反射防止遮光筒４に対応する増幅率で制御部１５１を介して受光処理部１６を設定し、また、後述の処理Ｓ１７の測色演算２で用いられる校正データ（白色校正値および黒色校正値）を、第１ないし第５態様の反射防止遮光筒４に対応する校正データに設定する。より具体的には、アタッチメントＡＴが第１ないし第５態様の反射防止遮光筒４である場合では、試料ＳＭの表面に到達する照明光の光量は、アタッチメントＡＴが遮光筒３ａまたはガラス板付き遮光筒３ｂである場合に較べて、少ないので、これに応じて前記増幅率や校正データが調整される。
【００６４】
次に、処理Ｓ２２において、光学特性演算部１５２は、前記処理Ｓ１５と同様に、入力部１１をモニタし、測定開始の指示を受け付けたか否かを判断する。この処理Ｓ２２は、測定開始の指示を受け付けるまで、繰り返される（Ｓ２２でＮｏ）。
【００６５】
そして、測定開始の指示を受け付けると（Ｓ２２でＹｅｓ）、処理Ｓ２３において、光学特性演算部１５２は、制御部１５１を介して光学特性測定装置Ｄの各部を制御し、測定を実行させる。より具体的には、制御部１５１は、測定プローブ２の光源２２を発光させる。光源２２から放射された光は、積分球２１の内面によって１または複数回拡散反射し、拡散板２４に到達し、拡散板２４を介して積分球２１から拡散光の照明光として放射される。積分球２１から放射された照明光は、試料ＳＭに照射され、試料ＳＭで反射される。ここで、アタッチメントＡＴの内面に到達した照明光は、アタッチメントＡＴが第１ないし第５態様の反射防止遮光筒４のうちのいずれかであるので、前記内面での拡散反射が抑制または防止される。試料ＳＭで反射した照明光の反射光は、受光筒２５の光ファイバケーブルＦＣの先端部に到達すると、光ファイバケーブルＦＣに入射され、光ファイバケーブルＦＣによって受光処理部１６まで導光される。この導光された照明光の反射光は、光電変換され、所定の前処理を施される。この所定の前処理を施された信号が試料ＳＭの測定結果として受光処理部１６から演算制御部１５へ出力される。
【００６６】
次に、処理Ｓ２４において、光学特性演算部１５２は、測色演算２として、受光処理部１６から入力された試料ＳＭの測定結果に基づいて、透明パネル測定モードで所定の光学特性を求める。このように光学特性演算部１５２は、種類検出部２６で検出されたアタッチメントＡＴの種類に応じて前記所定の光学特性を求める。
【００６７】
次に、処理Ｓ２５において、光学特性演算部１５２は、前記処理Ｓ１８と同様に、制御部１５１を介して表示部１２に、この求めた所定の光学特性を表示する。そして、処理Ｓ２６において、光学特性演算部１５２は、前記処理Ｓ１９と同様に、入力部１１から測定終了が指示されているか否かを判断する。この判断の結果、測定終了が指示されている場合（Ｙｅｓ）には、処理を終了し、測定終了が指示されていない場合（Ｎｏ）には、処理を処理Ｓ１２に戻す。
【００６８】
このように本実施形態の光学特性測定装置Ｄは、アタッチメントＡＴの脱着によって、一般的な試料の測定機能を維持しつつ、例えば表示パネルや太陽電池等の保護パネルを持つパネルのような、裏面の光学特性が表面の光学特性に影響する試料も測定することができる。そして、本実施形態の光学特性測定装置Ｄは、種類検出部２６によってアタッチメントＡＴの種類を自動判定することができ、光学特性演算部１５２によってアタッチメントＡＴの種類に応じて所定の光学特性を好適に求めることができる。
【００６９】
本明細書は、上記のように様々な態様の技術を開示しているが、そのうち主な技術を以下に纏める。
【００７０】
一態様にかかる光学特性測定装置用アタッチメントは、拡散光が照明光として射出され、前記照明光の試料での反射光が入射される照明受光部を備える光学特性測定装置における前記照明受光部の開口面と前記試料の表面との間に介在される光学特性測定装置用アタッチメントであって、外光を遮光し、前記照明受光部の周縁を囲む内周を有する中空柱状のアタッチメント本体と、前記アタッチメント本体の内面に備えられ、前記照明光の反射を防止するための第１反射防止部材と、前記光学特性測定装置に脱着可能に取り付けるための取付部とを備える。
【００７１】
上記保護パネルを備える例えば表示パネルや太陽電池等を様々な角度から観察および測定した結果、正反射方向から観察および測定すると、比較的安定した観察結果および測定結果が得られることが判明した。このような光学特性測定装置用アタッチメントでは、第１反射防止部材がアタッチメント本体の内面に設けられているので、照明受光部から射出されアタッチメント本体の内面に到達した照明光は、前記第１反射防止部材でその反射が抑えられるから、試料の表面に到達する照明光は、照明受光部から射出され直接試料の表面に到達した直達光となる。そして、試料の表面で反射してアタッチメント本体の内面に到達した照明光（直達光）の反射光は、前記第１反射防止部材でその反射が抑えられるから、照明受光部に到達する照明光（直達光）の反射光は、試料の表面から反射され直接照明受光部に到達した直達光（重直達光）となる。このように、上記光学特性測定装置用アタッチメントは、第１反射防止部材によって照明光や反射光の反射を抑制するので、光学特性測定装置の照明受光部には、照明光の正反射成分を導光することができる。このため、光学特性測定装置は、上記光学特性測定装置用アタッチメントを用いることによって、上記保護パネルを備える例えば表示パネルや太陽電池等のパネルも測定することができる。
【００７２】
したがって、上記光学特性測定装置用アタッチメントは、光学特性測定装置に脱着可能なアタッチメントであるので、例えば特許文献１に記載のような上記遮光筒を装着して（このアタッチメントを装着することなく）測定することによって、光学特性測定装置は、一般的な試料を好適に測定することができ、一方、このアタッチメントを装着して測定することによって、光学特性測定装置は、例えば表示パネルや太陽電池等の保護パネルを持つパネルのような、裏面の光学特性が表面の光学特性に影響する試料も測定することができる。このように上記光学特性測定装置用アタッチメントは、光学特性測定装置に対する脱着によって、光学特性測定装置における一般的な試料の測定機能を維持しつつ、例えば表示パネルや太陽電池等に用いられる保護パネルを持つパネルのような、裏面の光学特性が表面の光学特性に影響する試料の測定も光学特性測定装置に可能とさせ得る。
【００７３】
他の一態様では、上述の光学特性測定装置用アタッチメントにおいて、前記第１反射防止部材は、黒色塗膜である。
【００７４】
このような光学特性測定装置用アタッチメントは、アタッチメント本体の内面に黒色の塗料を塗布することによって前記第１反射防止部材を簡単に形成することができる。
【００７５】
他の一態様では、これら上述の光学特性測定装置用アタッチメントにおいて、前記照明受光部の周縁と前記アタッチメント本体の内周面との間に設けられ、前記照明光の反射を防止するための第２反射防止部材をさらに備える。
【００７６】
前記照明受光部の周縁と前記アタッチメント本体の内周面との間に、光学特性測定装置の表面が露出している場合では、この露出表面で反射する場合があり得る。上記光学特性測定装置用アタッチメントは、第２反射防止部材を備えるので、前記光学特性測定装置の露出表面が測定結果に影響を与えることがない。
【００７７】
他の一態様では、上述の光学特性測定装置用アタッチメントにおいて、前記取付部は、前記アタッチメント本体の一方端部に設けられ、前記第１反射防止部材は、前記照明受光部の周縁を囲む内周を有する一方端部と前記アタッチメント本体の他方端部における内周面に接する他方端部とを持つ中空錐台形状の反射防止部材本体と、前記反射防止部材本体の内面に備えられ、前記照明光の反射を防止するための第３反射防止部材とを備える。
【００７８】
このような光学特性測定装置用アタッチメントは、アタッチメント本体に第３反射防止部材を組み込むことによって簡単に製造することができる。そして、上記光学特性測定装置用アタッチメントでは、アタッチメント本体と第３反射防止部材とを個別に製造することができるから、これらを並行して製造することができる。
【００７９】
他の一態様では、上述の光学特性測定装置用アタッチメントにおいて、前記照明受光部の周縁と前記反射防止部材本体における前記一方端部の内周面との間に設けられ、前記照明光の反射を防止するための第４反射防止部材をさらに備える。
【００８０】
このような光学特性測定装置用アタッチメントは、第４反射防止部材を備えるので、前記光学特性測定装置の露出表面が測定結果に影響を与えることがない。
【００８１】
他の一態様では、これら上述の光学特性測定装置用アタッチメントにおいて、前記アタッチメント本体内に設けられ、前記照明受光部から射出される照明光の光束を制限する光学絞りをさらに備える。
【００８２】
このような光学特性測定装置用アタッチメントは、光学絞りを備えるので、照明受光部から射出される照明光の光量および角度を制限することができる。
【００８３】
そして、他の一態様にかかる光学特性測定装置は、拡散光が照明光として射出され、前記照明光の試料での反射光が入射される照明受光部を備え、前記反射光を受光して所定の光学特性を求める光学特性測定本体と、前記光学特性測定本体と脱着可能である複数の光学特性測定装置用アタッチメントとを備え、前記複数の光学特性測定装置用アタッチメントのうちの少なくとも１つは、これら上述のいずれかに記載の光学特性測定装置用アタッチメントである。
【００８４】
このような光学特性測定装置は、上記光学特性測定装置用アタッチメントの脱着によって、一般的な試料の測定機能を維持しつつ、例えば表示パネルや太陽電池等の保護パネルを持つパネルのような、裏面の光学特性が表面の光学特性に影響する試料も測定することができる。
【００８５】
他の一態様では、上述の光学特性測定装置において、前記光学特性測定本体は、装着された光学特性測定装置用アタッチメントの種類を検出する種類検出部と、前記種類検出部で検出された光学特性測定装置用アタッチメントの種類に応じて前記所定の光学特性を求める光学特性測定部とを備える。
【００８６】
このような光学特性測定装置は、種類検出部によって光学特性測定装置用アタッチメントの種類を自動判定することができ、光学特性測定部によって光学特性測定装置用アタッチメントの種類に応じて所定の光学特性を好適に求めることができる。
【００８７】
この出願は、２０１２年１０月１６日に出願された日本国特許出願特願２０１２−２２８８３４を基礎とするものであり、その内容は、本願に含まれるものである。
【００８８】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【００８９】
本発明によれば、光学特性測定装置用アタッチメントおよび光学特性測定装置を提供することができる。
【図１】
2014061191.tif 000003
【図２】
2014061191.tif 000004
【図３】
2014061191.tif 000005
【図４】
2014061191.tif 000006
【図５】
2014061191.tif 000007
【図６】
2014061191.tif 000008
【図７】
2014061191.tif 000009
【図８】
2014061191.tif 000010
【図９】
2014061191.tif 000011
【図１０】
2014061191.tif 000012
【図１１】
2014061191.tif 000013
【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
拡散光が照明光として射出され、前記照明光の試料での反射光が入射される照明受光部を備え、前記反射光を受光して所定の光学特性を求める光学特性測定装置本体と、
前記光学特性測定装置本体と脱着可能である複数の光学特性測定装置用アタッチメントとを備え、
前記光学特性測定装置本体は、前記光学特性測定装置用アタッチメントを取り付けるための筺体側取付部を備え、
前記複数の光学特性測定装置用アタッチメントは、第１のアタッチメントと、前記第１のアタッチメントに代えて前記光学特性測定装置本体に取り付けられる第２のアタッチメントとを含み、
前記第１のアタッチメントは、一方端から他方端に向けて径が徐々に小さくなるように且つ内面が光を拡散反射するように形成されたテーパ部と、前記テーパ部の一方端に形成され前記光学特性測定装置本体の筺体側取付部に脱着可能に取り付けるための第１の取付部と、前記第１の取付部の開口径に比べて小さい開口径をもつように前記テーパ部の他方端に形成された第２開口部と、を備え、
前記第２のアタッチメントは、外光を遮光し前記照明受光部の周縁を囲む内周を有する中空柱状のアタッチメント本体と、前記光学特性測定装置本体の筺体側取付部に脱着可能に取り付けるための第２の取付部と、前記第２開口部に比べて大きな径をもつ測定開口部と、前記中空柱状のアタッチメント本体の内面に備えられ前記照明光の反射を防止するための第１反射防止部材とを備えること
を特徴とする光学特性測定装置。
【請求項２】
前記テーパ部の内面は、白色塗装されており、
前記第２のアタッチメントの前記第１反射防止部材は、黒色塗膜であること
を特徴とする請求項１に記載の光学特性測定装置。
【請求項３】
前記第２のアタッチメントは、前記照明受光部の周縁と前記中空柱状のアタッチメント本体の内周面との間に設けられ、前記照明光の反射を防止するためのリング形状の第２反射防止部材をさらに備えること
を特徴とする請求項１または請求項２に記載の光学特性測定装置。
【請求項４】
前記第２の取付部は、前記中空柱状のアタッチメント本体の一方端部に設けられ、
前記第１反射防止部材は、前記照明受光部の周縁を囲む内周を有する一方端部と前記中空柱状のアタッチメント本体の他方端部における内周面に接する他方端部とを持つ中空錐台形状の反射防止部材本体と、前記反射防止部材本体の内面に備えられ、前記照明光の反射を防止するための第３反射防止部材とを備えること
を特徴とする請求項１に記載の光学特性測定装置。
【請求項５】
前記中空柱状アタッチメント本体内に設けられ、前記照明受光部から射出される照明光の光束を制限する光学絞りをさらに備えること
を特徴とする請求項１ないし請求項４のいずれか１項に記載の光学特性測定装置。
【請求項６】
前記光学特性測定装置本体は、装着された光学特性測定装置用アタッチメントの種類を検出する種類検出部と、前記種類検出部で検出された光学特性測定装置用アタッチメントの種類が前記第１のアタッチメントであると判断したときは物体色測定モードを起動し、前記第２のアタッチメントであると判断したときはパネル測定モードを起動して、起動したモードで光学特性を求める光学特性測定部とを備えること
を特徴とする請求項１〜５のいずれか１項に記載の光学特性測定装置。
【手続補正３】
【補正対象書類名】明細書
【補正対象項目名】０００１
【補正方法】変更
【補正の内容】
【０００１】
本発明は、光学特性測定装置に関する。
【手続補正４】
【補正対象書類名】明細書
【補正対象項目名】０００９
【補正方法】変更
【補正の内容】
【０００９】
本発明は、上述の事情に鑑みて為された発明であり、その目的は、一般的な試料の測定機能を維持しつつ、例えば表示パネルや太陽電池等に用いられる保護パネルのような、裏面の光学特性が表面の光学特性に影響する試料も測定することができる光学特性測定装置を提供することである。
【手続補正５】
【補正対象書類名】明細書
【補正対象項目名】００１０
【補正方法】変更
【補正の内容】
【００１０】
本発明にかかる光学特性測定装置は、光学特性測定装置に脱着可能であって外光を遮光する中空柱状のアタッチメント本体の内面に、照明光の反射を防止するための反射防止部材を備える。このような光学特性測定装置は、一般的な試料の測定機能を維持しつつ、例えば表示パネルや太陽電池等に用いられる保護パネルのような、裏面の光学特性が表面の光学特性に影響する試料も測定できる。
【手続補正６】
【補正対象書類名】明細書
【補正対象項目名】００１５
【補正方法】変更
【補正の内容】
【００１５】
本実施形態の光学特性測定装置は、照明光として拡散光を測定対象である試料に照射し、これによって前記試料で反射された前記拡散光の反射光を受光し、この受光した反射光に基づいて所定の光学特性を測定する装置である。前記所定の光学特性は、例えば、色、色彩等である。より具体的には、光学特性測定装置は、例えば、前記拡散光の反射光に含まれるいわゆる三刺激値を測定することによって色彩を測定する色彩計や、前記拡散光の反射光に含まれる各波長の強度を測定することによっていわゆる分光反射率を測定する分光測色計や、前記拡散光の反射光に基づいて輝度と色度とを測定する色彩輝度計等である。このような本実施形態の光学特性測定装置Ｄは、図１ないし図６に示すように、演算制御本体１と、光ファイバケーブルＦＣおよび制御信号線ＣＬを含むケーブルＣＢを介して演算制御本体１に接続される測定プローブ（光学特性測定装置本体）２と、測定プローブ２に脱着可能であるアタッチメントＡＴとを備えている。図１に示す例では、アタッチメントＡＴとして遮光筒（第１のアタッチメント）３ａが測定プローブ２に装着されている。本実施形態の光学特性測定装置Ｄでは、ハンディ型であるため、演算制御本体１と測定プローブ２とで、光学特性測定本体が構成されている。
【手続補正７】
【補正対象書類名】明細書
【補正対象項目名】００２９
【補正方法】変更
【補正の内容】
【００２９】
この遮光筒３ａは、一方端から他方端に向けて径が所定の第２直径になるまで徐々に小さくなるように形成されたテーパ部３１と、テーパ部３１の一方端に形成された、この遮光筒３ａを測定プローブ２の第２筐体ＨＳ２に脱着可能に取り付けるための遮光筒側取付部（第１の取付部）３２と、テーパ部３１の他方端において、前記所定の第２直径の第２開口部を囲むようにそして径方向外側に延びるように形成されたリング形状のフランジ板３３とを備えており、テーパ部３１の内面は、拡散反射するように白色塗装されている。このような遮光筒３ａは、測定プローブ２の第２筐体ＨＳ２に形成された第１開口部１００の開口面積を第２開口部ＡＰの開口面積までさらに絞り込み、そして、フランジ板３３によって平坦な試料面に密着させるために用いられる。
【手続補正８】
【補正対象書類名】明細書
【補正対象項目名】００３２
【補正方法】変更
【補正の内容】
【００３２】
そして、本実施形態の光学特性測定装置Ｄでは、前記保護パネル付きの例えば表示パネルや太陽電池等を測定するために、図５および図６に示す第１態様の反射防止遮光筒（第２のアタッチメント）４ａが、アタッチメントＡＴとしてさらに用意されている。
【手続補正９】
【補正対象書類名】明細書
【補正対象項目名】００３３
【補正方法】変更
【補正の内容】
【００３３】
この第１態様の反射防止遮光筒４ａは、外光を遮光し、前記照明受光部１００としての第１開口部１００の周縁を囲む内周を有する中空柱状のアタッチメント本体４１と、アタッチメント本体４１の一方端に形成された、この反射防止遮光筒４ａを測定プローブ２の第２筐体ＨＳ２に脱着可能に取り付けるための遮光筒側取付部（第２の取付部）４２と、アタッチメント本体４１の内面に備えられ、拡散板２４を介して積分球２１から放射される前記照明光の反射を防止するための第１反射防止部材４３とを備えている。
【国際調査報告】
2014061191.tif 000014
2014061191.tif 000015
2014061191.tif 000016
2014061191.tif 000017